(57)【要約】【課題】手袋をはめたままでもカードを利用できるカードホルダーを提供する。【解決手段】手袋１の本体部２の上面にカード収納用のポケット１０を取付けて、このポケット１０に開閉可能な蓋１１が取付けられている。ポケット１０は指袋３を兼ねるものであってもよい。カードを手袋１のポケット１０に入れておけば、カードを取り出さなくても、手袋１を読取器にかざすだけで、カードを機能させることができる。蓋１１を閉じることでカードのポケット１０からの落下を防止することができ、蓋１１を開けると容易にカードを取り出すことができる。また、ポケット１０を前向きに折り返すと指袋３として利用できるので、冬場は本来の手袋としても、カードホルダーとしても利用できる。【選択図】図１
0003142577.tif 000002
【実用新案登録請求の範囲】
【請求項１】
手袋の本体部の上面にカード収納用のポケットを取付けた
ことを特徴とするカードホルダー。
【請求項２】
前記ポケットに開閉可能な蓋が取付けられている
ことを特徴とする請求項１記載のカードホルダー。
【請求項３】
前記ポケットが指袋を兼ねるものであり、該ポケットの前縁部が折り返し自在に前記本体部に取付けられている
ことを特徴とする請求項１記載のカードホルダー。
【考案の詳細な説明】
【技術分野】
【０００１】
本考案は、カードホルダーに関する。さらに詳しくは、磁気やＩＣ回路などによって非接触で読取り可能なカード、たとえば、交通機関の定期券、駐車場の利用券、電子マネーなど様々な用途に利用されるカードを携帯するためのカードホルダーに関する。
【背景技術】
【０００２】
カードホルダーの従来技術として、特許文献１のものがある。この従来技術は、上着の内側にマジックテープ（登録商標）でホルダーを取り付け、その中にカードを出し入れできるようにしたものである。
【０００３】
しかし、この従来技術では、カードを使用するときには、カードを上着のポケットから出し入れしなければならず、出し入れの際に落下させたりする不都合がある。また、冬期のように手袋をはめているときは、そのままでカードの出し入れは不便であり、手袋を外さなければならない等の不便がある。
【０００４】
【特許文献１】特開２０００−１４４２７
【考案の開示】
【考案が解決しようとする課題】
【０００５】
本考案は上記事情に鑑み、カードの出し入れをしないでも使用することができ、また手袋をはめたままでもカードを利用できるカードホルダーを提供することを目的とする。
【課題を解決するための手段】
【０００６】
第１考案のカードホルダーは、手袋の本体部の上面にカード収納用のポケットを取付けたことを特徴とする。
第２考案のカードホルダーは、第１考案において、前記ポケットに開閉可能な蓋が取付けられていることを特徴とする。
第３考案のカードホルダーは、第１考案において、前記ポケットが指袋を兼ねるものであり、該ポケットの前縁部が折り返し自在に前記本体部に取付けられていることを特徴とする。
【考案の効果】
【０００７】
第１考案によれば、カードを手袋の上面のポケットに入れておけば、カードを取り出さなくても、手袋を読取器にかざすだけで、カードを読み取らせて、カードの機能を果すことができる。
第２考案によれば、蓋を閉じることでカードのポケットからの落下を防止することができ、蓋を開けると容易にカードを出し入れすることができる。
第３考案によれば、ポケットを前向きに折り返すと指袋として利用できるので、冬場は本来の手袋として利用でき、後向きに折り返しているときはカードホルダーとして利用できる。
【考案を実施するための最良の形態】
【０００８】
つぎに、本考案の実施形態を説明する。
本考案のカードホルダーは、手袋とカード収納のポケット（以下、ポケットという）からなる。
手袋は、本体部に指袋の付いたものでも付いてないものでもよく、本体部も部分的なものであってもよい。要するに、手に装着できればよく、防寒機能は有るものでも無いものでもよい。
ポケットは、カードを収納できればよく、手袋に対する取付け方は、着脱自在でも固定的でもよい。また、このポケットはカードの収納専用だけでなく、指袋を兼用するものであってもよい。
さらに、手袋の素材は全く制約なく、ニットや布、皮など任意のものを用いることができる。また、ポケットの素材は磁気が通るものであれば、どのようなものでもよい。厚さも磁気が通るレベルであればよい。
【０００９】
（第１実施形態）
図１は本考案の第１実施形態に係わるカードホルダーＡの斜視図である。図２は図１のカードホルダーＡの平面図である。
本実施形態のカードホルダーＡは、指袋のない手袋１とポケット１０から構成されている。
手袋１は手の甲や手の平を覆う本体部２と親指用の親指袋３からなるが、親指袋３も親指の先が出る短いものである。
【００１０】
ポケット１０は、カードＣが入る大きさの袋であり、手袋１の本体部２の上面、すなわち手甲面２ａに取付けられている。取付け方は、縫い付けたり、編み付けたり任意にでき、素材によっては任意の接着方法で接着してもよい。
また、このポケット１０には、蓋１１が取付けられており、たとえばボタン１２で閉止したり、ボタン１２を外して開いたりできるようになっている。
【００１１】
図１に示すように、ポケット１０にカードＣを入れておけば、手袋１をいちいち外さなくても、ポケット１０を読取器にかざすだけで、カードが読取器で読み取れるので、カードＣを取り出す必要がない。このため、カードＣの利用が簡便になり、カードＣの紛失も防止できる。
【００１２】
（第２実施形態）
図３は本考案の第２実施形態に係わるカードホルダーＢの斜視図である。図４は（Ａ）図は図３のカードホルダーＢの平面図、（Ｂ）図は同側面図である。
本実施形態のカードホルダーＢは、ポケット１０は前記第１実施形態と同じであり、手袋１が異なっている。
【００１３】
この手袋１は、指袋のあるタイプであるが、さらに、本体部２が手甲面２ａのみ有するもので、手の平を覆うようにはなっていない。符号４は手首部、５は指元部を指し、これらは輪状になっていて、人の手に装着できるものとなっている。
【００１４】
この実施形態の手袋１は手を覆う部分が少ないので、冬期以外での使用に適している。
カードホルダーとしての使用法と利点は、前記第１実施形態と同様である。
【００１５】
（第３実施形態）
図５は本考案の第３実施形態に係わるカードホルダーＣの斜視図である。図６は（Ａ）図は図５のカードホルダーＣの側面図、（Ｂ）図は使用状態説明図である。
本実施形態のカードホルダーＣは、手袋１は前記第１実施形態と同じであり、ポケット１０が異なっている。
【００１６】
このポケット１０は、前縁部すなわち蓋１１が被さる部分は本体部２の手甲面２ａに縫い付けたり編み付ける方法で取付けられ、ポケット１０全体が手袋１の前方に折り返したり、手甲面２ａの上面に折り戻したりできるようになっている。
また、ポケット１０の後縁部には、糸等で引掛けループ１３を設けている。そして、手甲面２ａの手首近くにはボタン１４を縫い付けているので、引掛けループ１３をボタン１４に引掛けて、ポケット１０の後縁部を係止できるようになっている。
【００１７】
図５に示すように、ポケット１０の後縁部をボタン１４で止めているときは、ポケット１０にカードＣを入れてカードホルダーとして使用することができる。
また、図６の（Ｂ）図に示すように、ポケット１０を前方に折り返せば指袋として使用することもできる。
この場合、カードＣの保持はできないが、冬期に指も覆える手袋として利用することができる。
【００１８】
つぎに、他の実施形態を説明する。
前記第１、第２実施形態の手袋１は指袋のないものであるが、指袋の付いた手袋であってもよい。
前記各実施形態では、ポケット１０に蓋１１を取付けているが、蓋がないものであってもよい。また、蓋１１のポケット開口への閉止手段は、図示のボタン１２の外に、クリップやジッパー等の公知の手段を任意に用いることができる。
前記第３実施形態において、親指の指袋３は、先端部の無いものであるが、指先まで覆うものであってもよい。
【図面の簡単な説明】
【００１９】
【図１】本考案の第１実施形態に係わるカードホルダーＡの斜視図である。
【図２】図１のカードホルダーＡの平面図である。
【図３】本考案の第２実施形態に係わるカードホルダーＢの斜視図である。
【図４】（Ａ）図は図３のカードホルダーＢの平面図、（Ｂ）図は同側面図である。
【図５】本考案の第３実施形態に係わるカードホルダーＣの斜視図である。
【図６】（Ａ）図は図５のカードホルダーＣの側面図、（Ｂ）図は使用状態説明図である。
【符号の説明】
【００２０】
１    手袋 
２    本体部
３    指袋
１０    ポケット
１１    蓋
【図１】
0003142577.tif 000003
【図２】
0003142577.tif 000004
【図３】
0003142577.tif 000005
【図４】
0003142577.tif 000006
【図５】
0003142577.tif 000007
【図６】
0003142577.tif 000008